(57)【要約】      （修正有）【課題】地震等の揺れに対して継手機能を損なうことのない優れた安定性を有する、マンホールの側壁に下水管を連結する内嵌式継手部材及びこれを用いた内嵌式管継手を提供する。【解決手段】内嵌式継手部材は、リング状でそのＵ字状断面を有する周壁３の開口部４が中心線ａの方向と同じ方向に向けて設けられた弾性体製の継手部材本体１と、前記周壁３の開口部に一体に設けられた外方向きのフランジ部２とからなる。本発明の内嵌式管継手は、継手部材本体１をマンホールの壁面にあけられた取付孔にマンホールの内側から差込み、フランジ部２をマンホールの内壁面に固定させて取り付け、下水管を継手部材本体１のリング状周壁３の内側に挿嵌して取付固定することにより、下水管をマンホールに連結する。【選択図】  図１
2004339755.tif 000002
【特許請求の範囲】
【請求項１】
マンホールの側壁に下水管を連結する際に用いる継手部材であって、リング状でそのＵ字状断面を有する周壁の開口部が中心線の方向と同じ方向に向けて設けられた弾性体製の継手部材本体と、前記周壁の開口部に一体に設けられた外方向きのフランジ部とからなることを特徴とする内嵌式継手部材。
【請求項２】
請求項１に記載の内嵌式継手部材の前記継手部材本体の内周壁が前記下水管に固定され、同外周壁が前記マンホールに設けられた取付孔の周壁に固定され、前記フランジ部が前記マンホールの内壁面に固定されることを特徴とするマンホールと下水管との内嵌式管継手。
【請求項３】
前記フランジ部と前記マンホールの内壁面との固定が、接着材による接着である請求項２に記載のマンホールと下水管との内嵌式管継手。
【請求項４】
前記フランジ部と前記マンホールの内壁面との固定が、前記フランジ部を、押圧部材とマンホール内壁面に埋設されたアンカーボルトとを用いてマンホール内壁面に押圧固定する請求項２に記載のマンホールと下水管との内嵌式管継手。
【請求項５】
マンホールと下水管とに固定された前記継手本体の開口部に閉鎖リングを挿入し、この閉鎖リングの外側を充填材で覆う請求項２〜請求項４のいずれかに記載のマンホールと下水管との内嵌式管継手。
【発明の詳細な説明】
【０００１】
【発明の属する技術分野】
本発明は、地震等による揺れや振動に対して継手機能を損なうことのない優れた安定性を有する内嵌式継手部材およびそれを用いたマンホールと下水管との内嵌式管継手に関するものである。
【０００２】
【従来の技術】
従来のマンホールの管継手は、一般にマンホールの側壁にあけた取付孔に外側から先端部を差し込み、モルタル、エポキシ樹脂系接着剤等の接着材を用いて、マンホールに接合一体化して取り付け、さらに、管継手の外周面にフランジがある場合には、このフランジの一側面をマンホールの外壁面に外側から接合一体化させている。
【０００３】
【発明が解決しようとする課題】
しかし、上記管継手は、マンホールの取付孔に、外側から差し込んで接着材で取付ける構造であり、その取付強度は、専ら接着材の接着力に頼るものであるため、地震等による揺れにより下水管を介して上記管継手にかかる押圧力や振動あるいは引抜き力に対して、十分な強度があるとは必ずしも言えず、マンホールの取付部分に管継手を介して接続した下水管が傾き、管継手との間で継手機能を維持できなくなったり、管継手自体がマンホールから引抜ける等の危険がある。
本発明は、こうした危険に対応でき、地震等の揺れや振動に対して継手機能を損なうことのない優れた安定性を有する内嵌式管継手を提供することを課題とする。
【０００４】
【課題を解決するための手段】
上記課題を解決するため、本発明の内嵌式継手部材および内嵌式管継手は、従来の管継手とは異なり、マンホールの内側から外側に向けて取付けることができるようにしている。
すなわち、本発明の内嵌式継手部材は、マンホールの側壁に下水管を連結する際に用いる継手部材であって、リング状でそのＵ字状断面を有する周壁の開口部が中心線の方向と同じ方向に向けて設けられた弾性体製の継手部材本体と、前記周壁の開口部に一体に設けられた外方向きのフランジ部とからなる。
また、本発明の内嵌式管継手は、上記内嵌式継手部材の前記継手部材本体の内周壁が前記下水管に固定され、同外周壁が前記マンホールに設けられた取付孔の周壁に固定され、前記フランジ部が前記マンホールの内壁面に固定される構成である。
【０００５】
前記フランジ部と前記マンホールの内壁面との固定は、接着材による接着であってもよく、また、前記フランジ部を、押圧部材とマンホール内壁面に埋設されたアンカーボルトとを用いてマンホール内壁面に押圧固定するようにしてもよい。
さらに、マンホールと下水管とに固定された前記継手本体の開口部に閉鎖リングを挿入し、この閉鎖リングの外側を充填材で覆うようにしてもよい。
【０００６】
【発明の実施の形態】
以下、本発明の実施の形態を添付図面に基づいて説明する。
図１（ａ）は、本発明の内嵌式継手部材の一例を示す平面図であり、図１（ｂ）は、図１（ａ）のＡ−Ａ矢視線に沿う断面図である。
図２の（ａ）は、本発明の内嵌式管継手の一使用状態を示す概略断面図であり、図２（ｂ）は、図２（ａ）の部分正面図である。
図３の（ａ）は、本発明の内嵌式管継手の他の使用状態を示す概略断面図であり、図３（ｂ）は、図３（ａ）の部分正面図である。
図４の（ａ）は、本発明の内嵌式管継手の別の使用状態を示す概略断面図であり、図４（ｂ）は、図４（ａ）の部分正面図である。
【０００７】
本発明の内嵌式継手部材は、図１の（ａ）、（ｂ）に示すように、基本的に弾性体製継手部材本体１と、フランジ部２とから構成されている。
弾性体製の継手部材本体１は、リング状で、その周壁３がＵ字状断面を有し、その開口部４が継手部材本体１の中心線ａと平行な方向に向けて設けられており、フランジ部２は、周壁３の開口部４の外周縁部に、外方向きに一体に設けられている。
本発明の内嵌式継手部材のフランジ部２は、マンホールの内壁面に密着して固定される。この固定方法としては、マンホール内壁面に接着材を用いた接着固定であってもよく、また、押圧部材とマンホール内壁面に埋設固定させたアンカーボルトを用いてマンホール内壁面に押圧固定するようにしてもよく、さらには双方を併用して固定するようにしてもよい。
継手部材本体１とフランジ部２は、スチレン・ブタジエンゴム（ＳＢＲ）、エチレンプロピレンゴム（ＥＰＤＭ）、シリコーンゴム等の合成ゴム製のものが好ましく採用され、通常、製造時に一体に成形される。
【０００８】
このような構成の内嵌式継手部材は、図２〜図４に示すような態様で、下水管をマンホールの側壁に、マンホールの内側から取付固定され、内嵌式管継手として使用される。
図２の例では、本発明の内嵌式管継手は、弾性体製の継手部材本体１が、板状の押圧部材５とアンカーボルト６を用いてマンホール７の側壁８の内壁面に押圧固定される。
押圧部材５は、図２（ａ）、（ｂ）に示すように湾曲板状体で、中心部に下水管９の外径に対応する内径の貫通孔１０を有し、継手部材本体１のフランジ部２をマンホールの側壁８の内壁面（内壁）に密着させて覆うことのできる形状に成形されている。
【０００９】
この例では、マンホール７の側壁８にあけた取付孔１１に、継手部材本体１がマンホール７の内側から差し込まれ、マンホール７の内壁面に埋設固定されたアンカーボルト６とナットを利用して、継手部材本体１のフランジ部２とその上に重ね合わされた押圧部材５がマンホール７の内壁面に押圧固定されている。
【００１０】
押圧部材５は、継手部材本体１の周壁３の開口部４を覆って、この開口部４への汚物等の侵入を防碍するとともに、継手部材本体１に取り付けられた下水管９に加えられる全方位からの動きを抑制する。
本発明の押圧部材５の材質は、硬質ポリ塩化ビニル、ポリエチレン、ポリプロピレン、アクリロニトリル・ブタジエン・スチレン共重合体（ＡＢＳ）、ポリエチレンテレフタレート（ＰＥＴ）等の合成樹脂やステンレス製のもの等が使用でき、これら合成樹脂の成型品をリサイクルしたものでもよい。
【００１１】
継手部材本体１は、Ｕ字状断面の周壁３の側面を、内側から拡径バンド１２を拡径させて、マンホール７の取付孔１１の内周壁に押圧固定し、また、内側から縮径バンド１３を縮径させて、Ｕ字状断面の周壁３の内周壁を下水管９の外周面に締付け固定することにより、弾性体製継手部材本体１とマンホール７の側壁８および下水管９との止水性（水密性）を確保している。
なお、上記拡径バンド１２と縮径バンド１３に代えて、弾性体製継手部材本体１の周壁３とマンホール７および下水管９を、接着材を用いて接着固定しても良く、さらには、上記拡径バンド１２と縮径バンド１３と接着材を併用して止水性を高めるようにしても良い。
【００１２】
継手部材本体１は、弾性体で、しかもＵ字状断面を有する周壁を持つリング状であり、その内周壁面で下水管の外周面を固定する構造であるため、連結部の弾力性、柔軟性が確保され、地震等によって下水管にかかる振動、衝撃等を吸収して規制し、復元機能をも有する。
【００１３】
図３は、図２の例と同じく、湾曲板状の押圧部材５とアンカーボルト６を用いて内嵌式継手部材のフランジ部２と下水管９をマンホール７の側壁８に取付固定するものであるが、押圧部材５の貫通孔１０の全周縁に、輪状の封鎖耐震ゴム１４を嵌合させている。
この封鎖耐震ゴム１４は、ＳＢＲ、ＥＰＤＭ、シリコーンゴム等の合成ゴム等からなり、押圧部材５と下水管９の間の緩衝材としての機能を有するもので、地震等による衝撃等によって、下水管９と押圧部材５とが接触して下水管９を傷付け破損させることがないようにしている。
その他、拡径バンド１２と縮径バンド１３を用いて、内嵌式継手部材のフランジ部２を、マンホール７の側壁８と下水管９に密着させて止水性を確保したり、さらには、これに代えて接着材を用いて固定したり、止水性を高めるため、接着材と上記各バンドを併用してもよいことは、図２の例と同様である。
【００１４】
図４は、押圧部材とアンカーボルトに代えて、接着材を用いて内嵌式継手部材のフランジ部２と下水管９を、マンホール７の側壁８に取付固定する例を示している。
この例では、内嵌式継手部材のフランジ部２を、マンホール７の内壁面に接着固定するとともに、継手部材本体１のＵ字状断面を有する周壁３の開口部４に、封鎖リング１５を挿入して開口部４への汚物等の侵入を防止し、さらにこの封鎖リング１５の外側でマンホール７内側に生じる凹部に、モルタル、シーラント等の充填材を充填して密封性の向上を図っている。
【００１５】
封鎖リング１５は、周壁３の開口部４を封止するために使用するものであるから、一定の硬度と弾力性を有し、耐久性に優れた部材が好ましい。このような材料としては、例えば、発泡ポリウレタン、発泡ポリエチレン、発泡ポリプロピレン、ニトリルゴム（ＮＢＲ）、ＳＢＲ、ＥＰＤＭ、シリコーンゴム等のゴム系材料及び軟質塩化ビニル樹脂、ＥＶＡ等の発泡性樹脂等が挙げられる。
なお、内嵌式継手部材のフランジ部２を、マンホール７の内壁面に取付固定するに際し、接着材による取付固定と押圧部材とアンカーボルトを用いた取付固定を併用することは差し支えない。
【００１６】
【作用】
本発明の内嵌式継手部材は、継手部材本体１が弾性体であり、しかもそのＵ字状断面を有するリング状の周壁の内側面で、下水管が連結される構造であるため、地震等によって下水管、マンホールにかかる振動や衝撃等は、前記Ｕ字状空間によって吸収されて、下水管又はマンホールには伝わらない。
それ故、下水管やマンホールにかかる上記衝撃等により、双方の擦れ合いや、衝突等による下水管とマンホール連結部の破損が無くなり、さらには連結部に加わる変位を吸収することができる。
【００１７】
また、内嵌式継手部材のフランジ部２は、マンホール８の内壁面にあけられた取付孔１１の周辺縁に押圧固定され、連結する下水管９にかかる外側からの引抜き力によって、本発明の内嵌式管継手がマンホールの取付孔１１から外れたり、外側へ抜けることを防止する。
押圧部材５及び封止リング１５は、継手部材本体１の周壁３の開口部４を覆って、この開口部４への汚物等の侵入を阻止するとともに、継手部材本体の周壁が有するＵ字状断面が衝撃吸収性、復元等の機能低下を防止する。
さらに、押圧部材５は、継手部材本体１に取り付けられた下水管９に加えられる全方位からの動きを抑制する。
このように、本発明の内嵌式継手部材および内嵌式管継手は、構成部材の各々が有する上記機能が相まって、耐震性に優れたマンホールと下水管との連結構造を形成することができる。
【００１８】
【発明の効果】
本発明の内嵌式継手部材及び内嵌式管継手によれば、地震等の揺れによってマンホールから管継手や下水管が外れることがなく、また、下水管とマンホールの連結部に加わる振動や衝撃を吸収できるため、耐久性に優れた継手機能を保持できる。
【図面の簡単な説明】
【図１】（ａ）は、本発明の内嵌式継手部材の一例を示す平面図であり、（ｂ）は、（ａ）のＡ−Ａ矢視線に沿う断面図である。
【図２】（ａ）は、本発明の内嵌式管継手の一使用状態を示す概略断面図であり、（ｂ）は、（ａ）の部分正面図である。
【図３】（ａ）は、本発明の内嵌式管継手の他の使用状態を示す概略断面図であり、（ｂ）は、（ａ）の部分正面図である。
【図４】（ａ）は、本発明の内嵌式管継手の別の使用状態を示す概略断面図であり、（ｂ）は、（ａ）の部分正面図である。
【符号の説明】
１  弾性体製継手部材本体
２  フランジ部
３  （継手部材本体の）周壁
４  周壁の開口部
５  押圧部材
６  アンカーボルト
７  マンホール
８  側壁
９  下水管
１０  押圧部材の貫通孔
１１  マンホールの取付孔
１２  拡径バンド
１３  縮径バンド
１４  封鎖耐震ゴム
１５  封鎖リング
１６  充填材
ａ  （リング状管継手本体の）中心線
【図１】
2004339755.tif 000003
【図２】
2004339755.tif 000004
【図３】
2004339755.tif 000005
【図４】
2004339755.tif 000006